(57)【要約】【課題】製造コストを抑えつつ、自動車用部品素材の曲面上に絵柄を正確に付加して装飾することができる自動車用加飾部品の製造方法を提供すること。【解決手段】樹脂成形体２の上面３上に色合いの異なる複数の着色層１１〜１４を積層形成する。複数の着色層１１〜１４は、下層側にいくほど色合いが濃くなっている。レーザ照射加工を行って、各着色層１１〜１４を選択的にかつ異なる深さで剥離して着色層１１〜１４を部分的に露出させることにより、木目模様の基絵柄を模した絵柄１６を描く。【選択図】図２
2010063993.tif 000002
【特許請求の範囲】
【請求項１】
立体形状をなす樹脂製の自動車用部品素材の曲面上に、基絵柄を模した絵柄を付加して装飾することにより、自動車用加飾部品を製造する方法であって、
前記部品素材の曲面上に色要素の異なる複数の着色層を塗工して積層形成するとともに、積層方向における前記色要素の変化に規則性をもたせるように設定する積層塗工工程と、
前記着色層を選択的にかつ異なる深さで剥離して前記着色層を部分的に露出させることにより、前記絵柄を描く描画工程と
を含むことを特徴とする自動車用加飾部品の製造方法。
【請求項２】
前記描画工程では、レーザ照射加工を行って前記着色層を選択的にかつ異なる深さで剥離することを特徴とする請求項１に記載の自動車用加飾部品の製造方法。
【請求項３】
前記複数の着色層は、下層側にいくほど色合いが濃くなっていることを特徴とする請求項１または２に記載の自動車用加飾部品の製造方法。
【請求項４】
前記描画工程では、前記部品素材の曲面も部分的に露出させて、その露出部分と前記複数の着色層との組み合わせにより前記絵柄を表現するようにしたことを特徴とする請求項１乃至３のいずれか１項に記載の自動車用加飾部品の製造方法。
【請求項５】
前記描画工程を行った後に前記複数の着色層を保護するクリアコート層を形成するクリアコート形成工程を含むことを特徴とする請求項１乃至４のいずれか１項に記載の自動車用加飾部品の製造方法。
【請求項６】
前記積層塗工工程では、メタリック調の光沢を有する顔料を含ませた光輝層、または、前記着色層にメタリック調の光沢を有する顔料を含ませた着色光輝層を塗工して積層形成することを特徴とする請求項１乃至５のいずれか１項に記載の自動車用加飾部品の製造方法。
【請求項７】
立体形状をなす樹脂製の自動車用部品素材の曲面上に、基絵柄を模した絵柄を付加して装飾された自動車用加飾部品であって、
前記部品素材の曲面上に、色要素の異なる複数の着色層が塗工されて積層形成されるとともに、積層方向における前記色要素の変化が規則性を有しており、
前記着色層を選択的にかつ異なる深さで剥離して前記着色層を部分的に露出させることにより表現された前記絵柄を備えている
ことを特徴とする自動車用加飾部品。
【発明の詳細な説明】
【技術分野】
【０００１】
本発明は、立体形状をなす樹脂製の自動車用部品素材の曲面上に、基絵柄を模した絵柄を付加して装飾する自動車用加飾部品の製造方法、及び自動車用加飾部品に関するものである。
【背景技術】
【０００２】
自動車の内装部品などでは、デザイン性や品質を高めるために樹脂成形体（自動車用部品素材）の表面に装飾を加えるようにした加飾部品（例えば、コンソールボックス、インストルメントパネル、アームレストなど）が多く実用化されている。このような自動車用加飾部品に装飾を加える加飾方法としては、水圧転写が一般的に用いられている（例えば、特許文献１参照）。
【０００３】
水圧転写とは、水面上に特殊フィルムを浮かべ、そのフィルムに印刷された所定の絵柄（木目模様や幾何学模様などの絵柄）を水圧によって樹脂成形体の表面に転写する技術である。この技術によれば、三次元曲面への印刷を行うことができる。
【特許文献１】特開昭５４−３３１１５号公報
【発明の開示】
【発明が解決しようとする課題】
【０００４】
ところが、上述した水圧転写を行う場合、樹脂成形体への絵柄の転写時に、絵柄が伸びたり歪んだりする。この結果、絵柄を正確に付加することができず、絵柄のバラツキが生してしまう。この場合、製品の歩留まりが悪化して製造コストが嵩んでしまう。また、リアルな木目模様（例えば、導管などの凹部）を実現するために、複数毎の絵柄を水圧転写する手法も検討されているが、三次元曲面に対して行う場合、絵柄の伸びや歪によって各絵柄の位置合わせを正確に行うことができず、実用化することが困難となっている。さらに、立体的な木目模様を実現するために、樹脂成形体の表面に凹凸を設け、その表面上に水圧転写を施すといった手法も検討されている。しかしながら、木目模様のパターンが凹凸の位置からずれてしまい、これらの位置をぴったりと合わせることができない。この場合、木目模様が立体的に見えず違和感が生じて不良品となってしまう。
【０００５】
また、水圧転写では、使用後の転写フィルムが廃材となるためその廃棄コストがかかることに加え、脱膜処理や排水処理などの処理コストが必要となる。従って、水圧転写とは異なる手法で自動車用部品素材の曲面上に絵柄を付加して装飾する新たな技術の開発が望まれている。
【０００６】
本発明は上記の課題に鑑みてなされたものであり、その目的は、製造コストを抑えつつ、自動車用部品素材の曲面上に絵柄を正確に付加して装飾することができる自動車用加飾部品の製造方法を提供することにある。また、別の目的は、自動車用部品素材の曲面上に絵柄を正確に付加して装飾することにより外観品質を高めた自動車用加飾部品を提供することにある。
【課題を解決するための手段】
【０００７】
上記課題を解決するために、請求項１に記載の発明は、立体形状をなす樹脂製の自動車用部品素材の曲面上に、基絵柄を模した絵柄を付加して装飾することにより、自動車用加飾部品を製造する方法であって、前記部品素材の曲面上に色要素の異なる複数の着色層を塗工して積層形成するとともに、積層方向における前記色要素の変化に規則性をもたせるように設定する積層塗工工程と、前記着色層を選択的にかつ異なる深さで剥離して前記着色層を部分的に露出させることにより、前記絵柄を描く描画工程とを含むことを特徴とする自動車用加飾部品の製造方法をその要旨とする。
【０００８】
請求項１に記載の発明によれば、積層塗工工程において、部品素材の曲面上に色要素の異なる複数の着色層が塗工されて積層形成される。これら着色層としては、模様のない層（ベタ層）でよいため、位置合わせをする必要がなく容易に形成することができる。そして、描画工程では、絵柄に応じて着色層を選択的にかつ異なる深さで剥離することにより、異なる色の着色層が露出されることで絵柄が形成される。このようにすると、水圧転写のような絵柄の伸びや歪が生じることがなく、複雑な絵柄を正確に描画することができる。さらに、複数の着色層は積層方向における色要素の変化に規則性をもたせて形成されているので、色の歪みが生じることがなく、基絵柄の実物に近い絵柄を描くことができる。また、本発明では、従来の水圧転写を行う場合のように脱膜処理や排水処理などの処理コストが不要となることに加えて転写フィルムの廃材もなくなるため、製造コストを抑えることができる。
【０００９】
なお、前記色要素とは、色合い、彩度、輝度（明度）のうちのいずれかの要素のことをいう。また、積層方向における色要素の変化に規則性をもたせて積層形成された複数の着色層の具体例としては、積層方向に色合いが濃い順に形成された着色層、彩度が高い順に形成された着色層、輝度が高い順に形成された着色層などを挙げることができる。
【００１０】
請求項２に記載の発明は、請求項１において、前記描画工程では、レーザ照射加工を行って前記着色層を選択的にかつ異なる深さで剥離することをその要旨とする。
【００１１】
請求項２に記載の発明によれば、レーザ照射加工を行うことにより、着色層を細かくかつ正確に剥離することができるため、解像度の高い鮮明な絵柄を正確に描くことができる。
【００１２】
請求項３に記載の発明は、請求項１または２において、前記複数の着色層は、下層側にいくほど色合いが濃くなっていることをその要旨とする。
【００１３】
請求項３に記載の発明によれば、レーザ照射加工によって深く加工された凹部が濃い色で表現される。この凹部は影になる部分であり、それをリアルに表現することができるため、基絵柄の実物に近い立体感のある絵柄を確実に表現することができる。
【００１４】
請求項４に記載の発明は、請求項１乃至３のいずれか１項において、前記描画工程では、前記部品素材の曲面も部分的に露出させて、その露出部分と前記複数の着色層との組み合わせにより前記絵柄を表現するようにしたことをその要旨とする。
【００１５】
請求項４に記載の発明によれば、部品素材の露出部分と複数の着色層との組み合わせにより、複雑な絵柄を確実に表現することができ、立体感や質感を向上させることができる。また、各着色層のみで絵柄を表現する場合と比較して、着色層を１層減らした状態で同じ絵柄を表現することが可能となり、塗装コストを抑えることができる。
【００１６】
請求項５に記載の発明は、請求項１乃至４のいずれか１項において、前記描画工程を行った後に前記複数の着色層を保護するクリアコート層を形成するクリアコート形成工程を含むことをその要旨とする。
【００１７】
請求項５に記載の発明によれば、複数の着色層を保護するクリアコート層が形成されるので、自動車用加飾部品の外観品質を長期間にわたって保つことができる。また、クリアコート層は、各着色層の凹凸を平坦化するよう形成されるものでもよいし、各着色層の凹凸を残した状態で形成されるものでもよい。クリアコート層によって各着色層の凹凸を平坦化する場合、その凹凸に蓄積する埃などの汚れを防止することができる。また、各着色層の凹凸を残す場合には、基絵柄の実物に近い触感を再現することが可能となる。
【００１８】
請求項６に記載の発明は、請求項１乃至５のいずれか１項において、前記積層塗工工程では、メタリック調の光沢を有する顔料を含ませた光輝層、または、前記着色層にメタリック調の光沢を有する顔料を含ませた着色光輝層を塗工して積層形成することをその要旨とする。
【００１９】
請求項６に記載の発明によれば、光輝層または着色光輝層が形成されるので、光の反射による絵柄の変化を持たせることができる。そして、この光輝層または着色光輝層によって、光の入射方向や視線方向に対して方向性を持った絵柄を形成することができる。またこの場合、着色層を所定の方向に沿って平行なライン状に剥離して光輝層または着色光輝層を規則的に露出させることが好ましい。このように、ライン状に凹部を形成することにより、見る方向によって輝度を変えることができる。なお、光輝層または着色光輝層は、各着色層の最上層、最下層、中間層のいずれの位置に形成してもよい。
【００２０】
請求項７に記載の発明は、立体形状をなす樹脂製の自動車用部品素材の曲面上に、基絵柄を模した絵柄を付加して装飾された自動車用加飾部品であって、前記部品素材の曲面上に、色要素の異なる複数の着色層が塗工されて積層形成されるとともに、積層方向における前記色要素の変化が規則性を有しており、前記着色層を選択的にかつ異なる深さで剥離して前記着色層を部分的に露出させることにより表現された前記絵柄を備えていることを特徴とする自動車用加飾部品をその要旨とする。
【００２１】
請求項７に記載の発明によれば、自動車用部品素材の曲面上に、複雑な絵柄を正確に描画することができる。また、複数の着色層は、積層方向における色要素の変化に規則性をもたせて形成されているので、各着色層によって基絵柄の実物に近い絵柄を描くことができる。従って、自動車用加飾部品の外観品質を高めることができる。
【発明の効果】
【００２２】
以上詳述したように、請求項１〜６に記載の発明によると、製造コストを抑えつつ、自動車用部品素材の曲面上に絵柄を正確に付加して装飾することができる。また、請求項７に記載の発明によると、自動車用部品素材の曲面上に絵柄を正確に付加して装飾することにより、外観品質を高めた自動車用加飾部品を提供することができる。
【発明を実施するための最良の形態】
【００２３】
以下、本発明を具体化した一実施の形態を図面に基づき詳細に説明する。
【００２４】
図１は、本実施の形態における自動車用加飾部品１を示す平面図であり、図２は、その自動車用加飾部品１の断面図である。本実施の形態の自動車用加飾部品１は、例えば、ドアのアームレストを構成する内装部品である。
【００２５】
図１及び図２に示されるように、自動車用加飾部品１は、立体形状の樹脂成形体２（樹脂製の自動車用部品素材）を備えている。樹脂成形体の上面３は、凸面状に湾曲した曲面であり、その上面３には、色要素の異なる複数の着色層１１，１２，１３，１４が塗工されて積層形成されている。
【００２６】
本実施の形態では、色合いが下層側ほど濃くなるように４色（下層側から順に、こげ茶色、茶色、うす茶色、クリーム色）の着色層１１〜１４が積層形成されている。そして、樹脂成形体２の上面３に形成された複数の着色層１１〜１４を選択的にかつ異なる深さで剥離して着色層１１〜１４を部分的に露出させることにより、木目模様の基絵柄を模した絵柄１６が描かれている。
【００２７】
さらに、樹脂成形体２の上面３の最上層には、各着色層１１〜１４を保護するための透明なクリアコート層１７が形成されている。本実施の形態のクリアコート層１７は、各着色層１１〜１４の凹凸を平坦化するよう形成されている。
【００２８】
次に、本実施の形態の自動車用加飾部品１の製造方法について説明する。
【００２９】
まず、樹脂材料（例えば、ＡＢＳ樹脂）を用いて所定の立体形状に成形した樹脂成形体２を用意する。
【００３０】
そして、積層塗工工程では、図３に示されるように、樹脂成形体２の上面３（曲面）上に、塗装機２１を用いて塗料Ｐ１を塗工することでこげ茶色の着色層１１を形成する。その後、塗装機２１から噴霧する塗料をこげ茶色の塗料Ｐ１から茶色の塗料Ｐ２に変更して、塗料Ｐ２を塗工することでこげ茶色の着色層１１上に茶色の着色層１２を積層形成する（図４参照）。同様に、塗装機２１から噴霧する塗料を茶色の塗料Ｐ２からうす茶色の塗料Ｐ３に変更して、塗料Ｐ３を塗工することで茶色の着色層１２上にうす茶色の着色層１３を積層形成する（図５参照）。さらに、塗装機２１から噴霧する塗料をうす茶色の塗料Ｐ３からクリーム色の塗料Ｐ４に変更して、塗料Ｐ４を塗工することでうす茶色の着色層１３上にクリーム色の着色層１４を積層形成する（図６参照）。なおここで、積層形成される各着色層１１〜１４は、模様のないベタパターンの層（ベタ層）であり、位置合わせをすることなく積層形成される。
【００３１】
続く、描画工程において、レーザ照射装置２２を用い、樹脂成形体２の上面３に形成された各着色層１１〜１４にレーザＬを照射する（図７参照）。このレーザ照射により着色層１１〜１４を昇華もしくは脆化させることで、絵柄のパターンに応じた着色層１１〜１４を選択的にかつ異なる深さで剥離して着色層１１〜１４を部分的に露出させる（図８参照）。具体的には、基絵柄の木目パターンにおいて、最も暗い部分に対応する箇所では、着色層１２〜１４を隔離して着色層１１の表面を露出させ、うす暗い部分に対応する箇所では、着色層１３，１４を剥離して着色層１２の表面を露出させる。さらに、少し明るい部分に対応する箇所では、着色層１４を剥離して着色層１３の表面を露出させ、最も明るい部分に対応する箇所では、着色層１１〜１４をそのまま残して着色層１４の表面を露出させる。これら着色層１１〜１４の露出部分によって、樹脂成形体２の上面３に木目模様の絵柄１６が描かれる。
【００３２】
その後、クリアコート形成工程を行い、複数の着色層１１〜１４を保護するクリアコート層１７を形成する。ここでは、塗装機を用い、木目模様の絵柄１６が描かれた樹脂成形体２の上面３に透明なクリア塗料を塗工することにより、クリアコート層１７が形成される。以上の工程を経て自動車用加飾部品１が製造される。
【００３３】
従って、本実施の形態によれば以下の効果を得ることができる。
【００３４】
（１）本実施の形態の場合、積層塗工工程にて形成される複数の着色層１１〜１４は模様のないベタ層であるので、位置合わせをする必要がなく各着色層１１〜１４を容易に形成することができる。また、描画工程において、レーザ照射により、着色層１１〜１４を選択的にかつ異なる深さで剥離することにより、異なる色の着色層１１〜１４が露出されることで、絵柄１６が形成される。このようにすると、水圧転写のような絵柄の伸びや歪が生じることがなく、複雑な木目模様の絵柄１６を正確に描画することができる。また、絵柄１６における木目に対応した凹凸を形成することができ、実物の天然木と同様の立体的な絵柄１６を描画することができる。さらに、本実施の形態の場合、従来の水圧転写を行う場合のように脱膜処理や排水処理などの処理コストが不要となることに加えて転写フィルムの廃材もなくなるため、製造コストを抑えることができる。
【００３５】
（２）本実施の形態の場合、レーザ照射加工を行うことにより、細かいエリアを正確に加工することができるため、解像度の高い鮮明な絵柄１６を描くことができる。
【００３６】
（３）本実施の形態の自動車用加飾部品１では、複数の着色層１１〜１４は、下層側にいくほど色合いが濃くなっているので、レーザ照射加工によって深く加工された凹部が濃い色で表現される。従って、凹凸や陰影を有する天然木に近い立体感のある絵柄１６を確実に表現することができる。
【００３７】
（４）本実施の形態の自動車用加飾部品１では、各着色層１１〜１４を保護するクリアコート層１７が形成されるので、自動車用加飾部品１の外観品質を長期間にわたって保つことができる。また、クリアコート層１７は、各着色層１１〜１４の凹凸を平坦化するよう形成されているので、凹凸に蓄積する埃などの汚れを防止することができる。
【００３８】
（５）従来の水圧転写では、基絵柄の形成はグラビア印刷で行うため、基絵柄の変更時には製版の設計変更等が必要となり手間がかかる。これに対して、本実施の形態の製造方法では、レーザ照射加工によって絵柄１６を描画しているため、基絵柄の変更を容易に行うことができる。また、水圧転写のように絵柄が伸びたり歪んだりするといったこともなく、同じ絵柄１６を正確に描くことができる。
【００３９】
なお、本発明の実施の形態は以下のように変更してもよい。
【００４０】
・上記実施の形態の自動車用加飾部品１では、こげ茶色、茶色、うす茶色、クリーム色の４色の着色層１１〜１４で絵柄１６を表現するものであったが、着色層１１〜１４の色要素や層数は、基絵柄に応じて適宜変更することができる。なお、基絵柄としては、木目模様以外に、繊維織物の絵柄や植物の繊維模様の絵柄などを挙げることができる。また、図９に示される自動車用加飾部品１Ａのように、４色の着色層１１〜１４に加えて光輝層１５を積層形成して、絵柄１６を表現してもよい。具体的には、光輝層１５は、メタリック調の光沢を有する顔料（メタリック顔料やパール顔料などの光輝性顔料）を含ませた塗料を塗工することで形成され、図９の自動車用加飾部品１Ａでは、茶色の着色層１２とうす茶色の着色層１３との間の中間層として形成されている。このようにすれば、光の反射によって絵柄１６の見え方を変化させることができ、光の入射方向やドラバーの視線方向に対して方向性を持った絵柄１６を形成することができる。例えば、光輝層１５がライン状に露出するようレーザ照射加工を行うことにより、木目模様の絵柄１６の見え方を図１０のように変化させることができる。またこの場合、凹凸や陰影に加えて絵柄１６の照りを表現することが可能となるため、よりリアル感のある絵柄１６を表現することができる。
【００４１】
また、図１の自動車用加飾部品１において、絵柄１６を構成する複数の着色層１１〜１４の少なくとも１層を、メタリック顔料やパール顔料などを含ませた着色光輝層に変更してもよい。このようにしても、光の反射によって絵柄１６の見え方を変化させることができ、光の入射方向や視線方向に対して方向性を持った絵柄１６を形成することができる。
【００４２】
・上記実施の形態の自動車用加飾部品１では、複数の着色層１１〜１４を部分的に露出させることにより絵柄１６を描くものであったが、これに限定されるものではない。例えば、図１１に示す自動車用加飾部品１Ｂのように、樹脂成形体２の上面３を部分的に露出させ、その露出部分と複数の着色層１２〜１４との組み合わせにより絵柄１６を表現してもよい。この自動車用加飾部品１Ｂでは、レーザ照射加工による露出部分が、例えばこげ茶色になる樹脂成形体２を用いる。これにより、最下層の着色層１１（こげ茶色の着色層）を省略することができ、塗装コストを抑えることができる。なお、樹脂成形体２としては、レーザ照射加工の熱によって変色する樹脂材料を用いてもよい。この場合、レーザ照射加工による変色後の樹脂成形体２を考慮して絵柄１６が表現できるように複数の着色層１２〜１４の色を設定する。また、樹脂成形体２の上面３を削って凹部３ａを形成し、立体感を向上させるようにしてもよい。
【００４３】
・上記実施の形態では、複数の着色層１１〜１４の凹凸を平坦化するようクリアコート層１７（図２参照）が形成されていたが、図１２の自動車用加飾部品１Ｃのように、各着色層１１〜１４の凹凸を残した状態でクリアコート層１７を形成してもよい。このように各着色層１１〜１４の凹凸を残すことにより、基絵柄の実物（天然木の木目）に近い触感を再現することが可能となる。
【００４４】
・上記実施の形態では、積層塗工工程において複数の着色層１１〜１４を形成した後に、描画工程を行って各着色層１１〜１４を一括して加工することにより絵柄１６を描いていたが、これに限定されるものではない。例えば、着色層１１〜１４を形成する度に、レーザ照射加工による描画工程を行って絵柄１６を描くようにしてもよい。
【００４５】
・上記実施の形態の描画工程では、レーザ照射加工を行って着色層１１〜１４を剥離していたが、これ以外に、例えば、エッチング技術を利用して着色層１１〜１４を剥離してもよい。なお、上記実施の形態にようにレーザ照射加工で描画工程を行う場合、非接触で着色層１１〜１４を剥離することができるため、工程を簡略化できるといったメリットがある。
【００４６】
・上記実施の形態では、自動車用加飾部品１としてドアのアームレストに具体化するものであったが、これ以外に、コンソールボックス、インストルメントパネルなどの部品に具体化してもよい。
【００４７】
次に、特許請求の範囲に記載された技術的思想のほかに、前述した実施の形態によって把握される技術的思想を以下に列挙する。
【００４８】
（１）請求項１において、前記着色層を形成する度に前記描画工程を行うことを特徴とする自動車用加飾部品の製造方法。
【００４９】
（２）請求項１において、前記複数の着色層を形成した後に一括して前記描画工程を行うことを特徴とする自動車用加飾部品の製造方法。
【００５０】
（３）請求項１において、前記積層塗工工程で形成される前記着色層はベタ層であることを特徴とする自動車用加飾部品の製造方法。
【００５１】
（４）請求項５において、前記クリアコート層は、前記複数の着色層の凹凸を平坦化するよう形成されていることを特徴とする自動車用加飾部品の製造方法。
【００５２】
（５）請求項５において、前記クリアコート層は、前記複数の着色層の凹凸を残した状態で形成されていることを特徴とする自動車用加飾部品の製造方法。
【図面の簡単な説明】
【００５３】
【図１】本発明を具体化した一実施の形態の自動車用加飾部品を示す平面図。
【図２】本発明を具体化した一実施の形態の自動車用加飾部品を示す断面図。
【図３】自動車用加飾部品の製造方法を説明するための断面図。
【図４】自動車用加飾部品の製造方法を説明するための断面図。
【図５】自動車用加飾部品の製造方法を説明するための断面図。
【図６】自動車用加飾部品の製造方法を説明するための断面図。
【図７】自動車用加飾部品の製造方法を説明するための断面図。
【図８】自動車用加飾部品の製造方法を説明するための断面図。
【図９】自動車用加飾部品の製造方法を説明するための断面図。
【図１０】別の実施の形態の自動車用加飾部品を示す平面図。
【図１１】別の実施の形態の自動車用加飾部品を示す断面図。
【図１２】別の実施の形態の自動車用加飾部品を示す断面図。
【符号の説明】
【００５４】
１,１Ａ,１Ｂ,１Ｃ…自動車用加飾部品
２…自動車用部品素材としての樹脂成形体
３…曲面としての上面
１１〜１４…着色層
１５…光輝層
１６…絵柄
１７…クリアコート層
【図２】
2010063993.tif 000003
【図３】
2010063993.tif 000004
【図４】
2010063993.tif 000005
【図５】
2010063993.tif 000006
【図６】
2010063993.tif 000007
【図７】
2010063993.tif 000008
【図８】
2010063993.tif 000009
【図９】
2010063993.tif 000010
【図１１】
2010063993.tif 000011
【図１２】
2010063993.tif 000012
【図１】
2010063993.tif 000013
【図１０】
2010063993.tif 000014